(57)【要約】      （修正有）【課題】加工コストや製造コストを削減できるとともに、外側フレームに対して網体を容易に、正確に取り付けて支持することのできる外側フレームに対する網体の支持構造の提供。【解決手段】網体１３と、その外周側において該網体を支持する外側フレーム１９とからなる外側フレーム１９に対する網体１３の支持構造であって、外側フレーム１９の内周縁部には、網体１３を取り付ける取付け穴２６，２７を備え、網体１３には、取付け穴２６，２７に挿入されて、網体１３が外側フレーム１９に係合される取付け棒部１７，１８を備え、外側フレーム１９に対しての相対移動を不能に網体１３が規制される規制部材２８，４１を、取付け穴２６，２７の縁部に当接するよう取付け棒部１７，１８に装着した。【選択図】図１
0003104577.tif 000002
【実用新案登録請求の範囲】
【請求項１】
網体と、その外周側において該網体を支持する外側フレームとからなる外側フレームに対する網体の支持構造であって、
上記外側フレームの内周縁部には、上記網体を取り付ける取付け穴を備え、
上記網体には、上記取付け穴に挿入されて、上記網体が上記外側フレームに係合される取付け棒部を備え、
上記外側フレームに対して、上記網体が相対移動を不能に規制される規制部材を、上記取付け穴の縁部に当接するよう上記取付け棒部に装着したことを特徴とする
外側フレームに対する網体の支持構造。
【請求項２】
上記規制部材に当接して、該規制部材が棒軸方向に摺動することを阻止する当接部を、上記取付け棒部の近傍に備え、
上記規制部材を、上記取付け穴の縁部と、上記当接部とに当接させたことを特徴とする
請求項１に記載の外側フレームに対する網体の支持構造。
【請求項３】
上記規制部材を、上記取付け棒部が挿通可能な挿通孔を有した中空筒状に形成するとともに、その外周方向における所定の部位を上記取付け棒部に対して嵌着可能に切り欠いて形成したことを特徴とする
請求項１、又は請求項２に記載の外側フレームに対する網体の支持構造。
【請求項４】
上記規制部材を、同一の２部材から構成し、該２部材のそれぞれには、上記取付け棒部が包持可能に他方の部材を係合する係合部と、上記他方の部材の係合部に係合される被係合部とを有することを特徴とする
請求項１、請求項２、又は請求項３に記載の外側フレームに対する網体の支持構造。
【請求項５】
上記規制部材とともに上記網体を規制する補助規制部材を、上記外側フレームにおける、上記規制部材を当接させた側の内周縁部に対して上記網体を隔てた対向側の内周縁部に当接するよう所定の取付け棒部に装着したことを特徴とする
請求項１から請求項４のいずれか一項に記載の外側フレームに対する網体の支持構造。
【考案の詳細な説明】
【技術分野】
【０００１】
この考案は、例えば、ペット用やベビー用などのケージに関し、さらに詳しくは、このようなケージにおいて適用される外側フレームに対する網体の支持構造に関する。
【背景技術】
【０００２】
最近では、上記ペット用や、ベビー用のケージは、高級感や温か味を醸し出すことを目的として、例えば、木製の外側フレームを外周側に配置させたケージが普及しつつある。それに伴って、外側フレームに対して網体を支持するための様々な構造が提案されている。
【０００３】
例えば、フェンスの網体支持構造について開示された特許文献が存在する（特開２００１−２４５５４５号公報参照）。  
上記フェンスの網体支持構造は、上側フレームと下側フレームとの間に網体（網体）を支持してなる構造をとる。
【０００４】
上記網体は、高さ方向に縦棒を配して構成し、さらに、該縦棒には、引張り棒と突っ張り棒とを含んで構成される。  
また、上記引張り棒の両端側には、上側フレームと下側フレームとのそれぞれに螺合により取り付けるための螺子部を形成している。
【０００５】
一方、上側フレームと下側フレームには、上記網体を支持するため、上記引張り棒の両端側を挿入可能な貫通孔が穿設されている。
【０００６】
さらに、上記貫通孔に挿入した上記引張り棒の螺子部と螺合するため、螺子孔を有した嵌合ピンと呼ばれる部材が用いられ、該嵌合ピンは、上記貫通孔に嵌入される。  
なお、上記嵌合ピンの外周端部には、フランジ部を有し、上側フレームと下側フレームとには、係合段部を形成しているため、嵌合ピンを挿通したときフランジ部は、係合段部に係合される。
【０００７】
そして、嵌合ピンを回転させれば、嵌合ピンの螺子孔と引張り棒の螺子部とが螺合することにより、上側フレームと下側フレームとに網体を取り付けることができる。
【０００８】
上記支持構造の場合、上側フレームと下側フレームと網体を支持するため、様々な加工の労力を要する。
【０００９】
なぜなら、螺子孔を有した嵌合ピンを形成したり、引張り棒にも螺子部を形成したり必要があり、さらに、上側フレームと下側フレームにおいては、貫通孔を穿設したり、嵌合ピンと係合するための係合段部を形成したりする必要もあるためである。
【００１０】
また、上記支持構造の場合、上側フレームと下側フレームとで引張り棒を支持するために、様々な手間を要する。  
なぜなら、いちいち嵌合ピンを貫通孔に挿通させたり、嵌合ピンと引張り棒とを螺合させたりする必要があるためである。
【００１１】
その他、上記支持構造の問題として、上側フレームと下側フレームとにおける貫通孔が、高さ方向において一致せず、相対的に位置ずれした状態で穿設された場合、構造上その誤差を許容することができない。このため、上側フレームと下側フレームとが位置ずれした状態で取り付けられることや、螺合できない事態が生じ、上側フレーム、或いは下側フレームに網体を取り付けることができない場合も生じてしまう。
【考案の開示】
【考案が解決しようとする課題】
【００１２】
そこで、本考案は、外側フレームに対する網体の支持構造を実現する上で必要となる加工コストや製造コストを削減できるとともに、外側フレームに対して網体を容易に、且つ、正確に取り付けて支持することのできる外側フレームに対する網体の支持構造の提供を目的とする。
【課題を解決するための手段】
【００１３】
本考案に係る外側フレームに対する網体の支持構造は、網体と、その外周側において該網体を支持する外側フレームとからなる外側フレームに対する網体の支持構造であって、上記外側フレームの内周縁部には、上記網体を取り付ける取付け穴を備え、上記網体には、上記取付け穴に挿入されて、上記網体が上記外側フレームに係合される取付け棒部を備え、上記外側フレームに対して上記網体が相対移動を不能に規制される規制部材を、上記取付け穴の縁部に当接するよう上記取付け棒部に装着したことを特徴とする。
【００１４】
上記規制部材は、例えば、弾性体や合成樹脂などの材質で構成することができるが、上記外側フレームに対しての相対移動不能に上記網体を規制できる材質であればよい。
【００１５】
また、上記規制部材は、上記取付け棒部に対して着脱可能に装着する形態であっても、或いは、溶着、接着など固着により装着する形態であってもよい。  
上記取付け棒部に対して着脱可能に装着する形態である場合、上記規制部材は、例えば、上記取付け棒部が挿通可能な挿通孔を有した中空筒状に形成するとともに、その外周方向における所定の部位を上記取付け棒部に対して嵌着可能に切り欠いて形成した構成を採ることができる。
【００１６】
或いは、上記規制部材は、同一の２部材から構成し、該２部材のそれぞれには、上記取付け棒部が包持可能に他方の部材を係合する係合部と、上記他方の部材の係合部に係合される被係合部とを有する構成とすることもできる。
【００１７】
上述したように規制部材を構成すれば、上記網体を上記外側フレームに係合した後からでも、上記取付け棒部に装着することができるため、装着し易くなり好ましい。
【００１８】
また、上記外側フレームに対する網体の支持構造は、上記規制部材に当接して、該規制部材が棒軸方向に摺動することを阻止する当接部を、上記取付け棒部の近傍に備え、上記規制部材を、上記取付け穴の縁部と、上記当接部とに当接させることも特徴とすることができる。
【００１９】
上記当接部は、例えば、上記取付け棒部に対して垂直方向に連結した棒や、上記取付け棒部の近傍に相当する棒の一部を屈折させて構成するなど、上記規制部材に当接して、該規制部材が物理的に軸方向へ摺動しないように構成したものであればよい。
【００２０】
上記構成を採れば、上記規制部材を、上記取付け穴の縁部に当接した状態に保つことができる。
【００２１】
また、外側フレームに対する網体の支持構造は、上記規制部材とともに上記網体を規制する補助規制部材を、上記外側フレームにおける、上記規制部材を当接させた側の内周縁部に対して上記網体を隔てた対向側の内周縁部に当接するよう所定の取付け棒部に装着したことを特徴とする。
【００２２】
上記支持構造を採れば、網体の両側に有するそれぞれの取付け棒部を上記補助規制部材と上記規制部材とで規制することができる。  
このため、例えば、上記取付け穴に挿入する上記取付け棒部に対して、上記取付け穴を深大に穿設しすぎたために、上記取付け棒部が上記取付け穴の縁部に係合される度合いが少ない場合であっても、強固に網体を支持することができる。
【考案の効果】
【００２３】
この考案によれば、通常、上記取付け棒部を上記取付け穴に挿入し、上記規制部材を上記取付け棒部に装着するだけで上記網体を上記外側フレームに取り付けることができるため、容易に取り付けることができる。
【００２４】
しかも、規制部材を装着することにより、上記外側フレームに対しての網体の相対位置を見栄えのよい状態で固定することができる。  
このため、上記外側フレームに対する上記網体の係合が抜けてしまうことがないのは勿論、上記外側フレームに対して網体ががたつくことや、傾いた状態で支持されることもない。
【００２５】
さらに、このような外側フレームに対する網体の支持構造を採れば、複雑な構造を必要としない。具体的には、取付け棒部に螺子部を形成する必要もなく、外側フレームに、貫通孔を穿設することもない。  
よって、加工コストや製造コストを削減することができる。
【考案を実施するための最良の形態】
【００２６】
この考案の一実施形態を、以下図面を用いて説明する。  
図１は、本実施形態に係るペット用ケージ１１を示す。図２は、該ペット用ケージ１１の正面図を示し、図３は、該ペット用ケージ１１の右側面図を示す。  
上記図１、図２、図３を用いて、ペット用ケージ１１の構成について、説明する。
【００２７】
上記ペット用ケージ１１の底面には、ペットを載上可能な矩形をした合成樹脂製の底トレー１２を構成し、該底トレー１２の下面４隅にキャスタ１２ａを枢着し、ペット用ケージ１１を支持している。
【００２８】
上記ペット用ケージ１１の前面は、該前面の外郭を構成する木製の前面フレーム１９と、その内側に取り付いている前面網体１３とを有して構成する。
【００２９】
上記前面網体１３については、下部から中央部にかけてペット用ケージ１１に対してペットが出入り可能に開口し、該開口した部位を開閉可能とする扉用網体１３ａを有して構成される。
【００３０】
上記前面網体１３における扉用網体１３ａを除いた部位は、左右方向にかけて複数の縦棒１４…が上下方向に配されるとともに、該縦棒１４…に対して左右方向に横棒１５…を連結して格子状に構成している。
【００３１】
上記縦棒１４…については、上記複数の縦棒１４…の中でも左右方向の両端側に配した縦棒１４ａ、及び、左右方向の中間に対して左右両側に配した所定の縦棒１４ｂを、前面網体１３の上端に配した横棒１５ａ（以下、上端横棒１５ａという）よりも上方に突出させて連結するとともに、下端に配した横棒１５ｂ（以下、上端横棒１５ｂという）よりも下方に突出させて連結している（図２参照）。  
上記縦棒１４ａ,１４ｂにおける横棒１５ａ,１５ｂよりも突出させた部位が上記前面フレーム１９に取り付けられ、該突出させた部位を取付け棒部１８に設定する。  
そして、取付け棒部１７,１８における上記前面網体１３の上端に有する取付け棒部１７を上端取付け棒部１７に設定し、下端に有する取付け棒部１８を下端取付け棒部１８に設定する。  
さらに、上端取付け棒部１７における左右各側端部に有する取付け棒部１７ａ,１７ｂをそれぞれ上端右側取付け棒部１７ａ、及び、上端左側取付け棒部１７ｂに設定する。  
加えて、下端取付け棒部１８における左右各端部に有する取付け棒部１８ａ,１８ｂを下端右側取付け棒部１８ａ、及び下端左側取付け棒部１８ｂに設定する。
【００３２】
一方、上記前面フレーム１９は、上下各側に有する前面上側フレーム２０と前面下側フレーム２１、さらに、左右各側に有する、前面左側フレーム２２と前面右側フレーム２３とをそれぞれ結合して構成している（図１、図２参照）。
【００３３】
なお、前面上側フレーム２０は、左右方向の中間部にネームプレート２０ａが固着されている。そして、上記前面下側フレーム２１における、左右方向の中間部の上端部は、ペットがペット用ケージ１１に対して出入りしやすいように切り欠いており、下端部は、上記底トレー１２の前端部に一体に取り付いている。
【００３４】
さらに、前面上側フレーム２０と前面下側フレーム２１とにおける上記前面網体１３の取付け棒部１７,１８に対応する部位には、該取付け棒部１７,１８が挿入可能な取付け穴２６，２７が穿設されている（図２参照）。そして、前面フレーム１９に対する前面網体１３の取り付け手順については後述するが、取付け穴２６，２７に、取付け棒部１７,１８を挿入することにより、前面網体１３を、上記前面フレーム１９に取り付けている。
【００３５】
ここで、上記取付け棒部１７,１８において、上述で設定した上記上端取付け棒部１７、下端取付け棒部１８、上端右側取付け棒部１７ａ、上端左側取付け棒部１７ｂ、下端右側取付け棒部１８ａ、及び、下端左側取付け棒部１８ｂに対応する取付け穴２６，２７を、それぞれ上端取付け穴２６、下端取付け穴２７、上端右側取付け穴２６ａ、上端左側取付け穴２６ｂ、下端右側取付け穴２７ａ、下端左側取付け穴２７ｂに設定する（図２参照）。
【００３６】
また、前面網体１３における上端右側取付け棒部１７ａは、図４（ａ）に示したように、規制部材２８が取り付いている。  
さらに、前面網体１３における上記下端取付け棒部１８には、図４（ｂ）に示したように、上記規制部材２８は取り付いていないが、該下端右側取付け棒部１８ａは、下端右側取付け穴２７ａの底部に当接した状態で挿入されている。
【００３７】
なお、図４では、前面網体１３における右端側の縦棒１４ａの上下各端側のみを示しているが、左端側の縦棒１４ａについても、前側フレーム１９に対して同様の支持構造を採るため、該左端側の縦棒１４ａ支持構造を示した図を省略する
上記規制部材２８は、合成樹脂製であり、その形状は、図５に示したように、中央部に上下方向の貫通孔２８ａを有した中空円筒状に形成するとともに、その外周部には、周方向における所定の部位を切り欠いた切り欠き部２８ｂを有して形成し、平面視したとき，Ｃ形の円環状に形成している。上記形態を採る規制部材２８は、上端右側取付け棒部１７ａ、及び上端左側取付け棒部１７ｂに対して嵌着可能に形成している。
【００３８】
次に、ペット用ケージ１１の後面の構成は、上記前面網体１３に対応する後面の後面網体には、前面網体１３のような扉用網体を有していないが、その他は、ペット用ケージ１１の前面の構成と略同一であり、例えば、上記後側フレームに対する後側網体の支持構造も、前面フレーム１９に対する前面網体１３の支持構造と同一であるため、その説明を省略する（図示せず）。
【００３９】
また、ペット用ケージ１１の右面については、右面網体３０を有し、該右面網体３０は、上記右面を正面視したとき、該右面の略半分の幅を有する２枚の網体３１,３２をその中間部において連結部材３３によって、折畳み可能に連結して構成されている（図３参照）。  
なお、上記構成により、右面網体３０は、ペット用ケージ１１から分離した状態において、左右両側に配置させた各網体３１,３２どうしを重合して折り畳むことができる。
【００４０】
上記右面網体３０は、上記２枚の網体３１,３２を左右方向に並置する形態で取り付けられている。具体的には、左右両側における所定箇所を上記前面右側フレーム２３と後面フレーム２９とに固着部材３４で固着している。さらに、上記右面網体３０の下端部３０ａを、底トレー１２に形成した溝部１２ｂに設置させた状態で、下端部３０ａにおける左右方向の中間部を係合部材３５により係合して取り付けている。  
上記ペット用ケージ１１の左面についても、上述した右面と同様の構成であるため、その説明を省略する。
【００４１】
最後に、ペット用ケージ１１の天井面は、正面視左右両側に天井フレーム３６を有して、天井面を構成する天井網体３７が上記右面網体３０と左面網体とに固定金具３８を介して着脱可能に取り付いている（図１参照）。
【００４２】
本実施形態におけるペット用ケージ１１は、上述のように構成するものとして、以下では、ペット用ケージ１１の特に、前面における前面フレーム１９に対する前面網体１３の支持構造における作用、効果について説明する。
【００４３】
なお、前面網体１３における左右両端に有する縦棒１４ａについては、前面フレームに対して、それぞれ同様の支持構造を採るため、以下では右端側の縦棒１４ａの支持構造を中心に説明する。
【００４４】
まず、前面網体１３を前面フレーム１９に取り付ける手順は、まず、図６、図７（ａ）に示したように、前面網体１３と前面フレーム１９とを互いに対面させる。さらに、前面網体１３の上側を前面フレーム１９の側に傾けて、前面上側フレーム２０の上端右側取付け穴２６ａ（２６）に挿入させていく（図７（ｂ）参照）。
【００４５】
このように、挿入させながら上記前面網体１３の下端側を、前面フレーム１９の側へ寄せていく。そして、上端右側取付け穴２６ａ（２６）の縁部２６ａａと上端横棒１５ａとが当接するまで、上端右側取付け穴２６ａ（２６）に上端右側取付け棒部１７ａ（１７）を挿入させる（図７（ｃ）参照）。
【００４６】
このとき、縦棒１４における下端右側取付け棒部１８ａが下端右側取付け穴２７ａ（２７）の上側に位置した状態とすることができる。すなわち、前面網体１３と前面フレーム１９とが同一平面上に一致した状態となる。
【００４７】
さらに、前面網体１３を前面フレーム１９に対して下方に移動させていけば、下端右側取付け穴２７ａ（２７）に下端右側取付け棒部１８ａ（１８）を挿入させることができる（図７（ｄ）参照）。下端右側取付け棒部１８ａ（１８）が下端右側取付け穴２７ａ（２７）の底部に当接するまで挿入しても、上端右側取付け棒部１７ａ（１７）は、上端右側取付け穴２６ａ（２６）に挿入されたままであるため、前面網体１３を、前面フレーム１９に係合させることができる。
【００４８】
さらに、２つの上記規制部材２８をそれぞれ上端右側取付け棒部１７ａと上端左側取付け棒部１７ｂに嵌着する。このとき、図８に示したように、上端右側取付け棒部１７ａに嵌着した規制部材２８は、その上面が上端右側取付け穴２６ａの縁部２６ａａに当接し、下面が上端横棒１５ａに当接した状態となる。  
なお、上端左側取付け棒部１７ｂに嵌着した規制部材１８も同様の支持構造をとるため、その説明を省略する。
【００４９】
このため、前面フレーム１９は、該前面フレーム１９に対しての相対移動が不能に前面網体１３を規制した状態で支持することができる。
【００５０】
上述した支持構造を採れば、前面フレーム１９に対して前面網体１３が、がたつくことがなく、見栄えのよい状態に支持することができる。さらに、規制部材２８の下面に上端横棒１５ａが当接するため、規制部材２８が縦棒１４ａを下方に摺動して位置ずれしてしまうことを阻止することができる。
【００５１】
一方、下端取付け棒部１８（１８ａ）は、下端取付け穴２７（２７ａ）に当接しているため（図４（ｂ））、前面フレーム１９に対して前面網体１３を見栄えのよい一定の相対位置で支持することができるとともに、前面網体１３を前面フレーム１９に対して強固に支持することができる。
【００５２】
上記規制部材２８は、上述した構成に限らず、例えば、図９に示したような規制部材４１を用いてもよい。上記規制部材４１は、同一形状をした２部材４２,４３からなり、貫通孔を有した中空円筒状の部材を上下方向に２等分割した形状でそれぞれ形成され、該分割した部材４２（４３）の一方の端部に他方の端部を係合する係合爪４２ａ（４３ａ）を突設し、分割した部材４２（４３）の他方の縁部側には、上記係合爪４３ａ（４２ａ）に係合される被係合溝部４２ｂ（４３ｂ）を形成している。
【００５３】
上記構成を採る規制部材４１は、上端右側取付け棒部１７ａ、及び、上端左側取付け棒部１７ｂの各部において、両側から対向させた状態で、各係合爪４２ａ（４３ａ）と被係合溝部４３ｂ（４２ｂ）とを係合させて、上端右側取付け棒部１７ａ、及び、上端左側取付け棒部１７ｂを抱持した状態で取り付ける。
【００５４】
このように、規制部材２８，４１は、上記前面フレーム１９に対しての相対移動が不能に、前面網体１３を規制できればよく、一つの構成に限定しない。
【００５５】
また、他の実施形態における前面フレーム１９に対する前面網体１３の支持構造について説明する。  
前面網体１３における下端右側取付け棒部１８ａ、及び下端左側取付け棒部１８ｂに、上記規制部材２８，４１とともに規制する補助規制部材４５を、上記前面フレーム１９に対しての上記前面網体１３の相対移動が不能に装着することができる。
【００５６】
上記補助規制部材４５の構成は、図１０に示したように、合成樹脂製であり、取付け棒部１７、１８が挿通可能な挿通孔４５ａを有した中空円筒状に形成し、外周面における上下方向の一端側に鍔部４５ｂを形成している。
【００５７】
上記構成を採る補助規制部材４５は、前面網体１３の前面フレーム１９への取り付け段階（図７（ａ）の段階）において、予め上記鍔部４５ｂが下側に位置する状態で下端右側取付け棒部１８ａ、及び下端左側取付け棒部１８ｂに挿通しておく。このように、挿入した状態で、上述した取り付け手順と同様にして前面網体１３を前面フレーム１９取り付ければ、補助規制部材４５を装着することができる。
【００５８】
このとき、図１１に示したように、補助規制部材４５は、その上面が下端横棒１５ｂに当接し、下面が下端右側取付け穴２７ａの縁部２７ａａに当接した状態となる（下端左側取付け棒部１８ｂに装着した補助規制部材４５も同様）。
【００５９】
よって、図１１に示したように、下端右側取付け棒部１８ａが下端右側取付け穴２７ａの底部に当接しないくても、前面網体１３を確実に保持することができるため、取付け穴を穿設する深さを気にすることなく見栄えよく前面網体１３を支持することができる。
【００６０】
上述の実施形態と、この考案の構成との対応において、この実施形態の前面フレーム１９は、この考案の外側フレームに対応し、
以下同様に、前面網体１３は、網体に対応し、
上端横棒１５ａ、又は／及び下端横棒１５ｂは、当接部に対応し、
係合爪４２ａ，４３ａは、係合部に対応し、
被係合溝部４２ｂ，４３ｂは、被係合部に対応するも、
この考案は、上述の実施形態の構成のみに限定されるものではなく、多くの実施の形態を得ることができる。
【図面の簡単な説明】
【００６１】
【図１】ペット用ケージの外観図。
【図２】ペット用ケージの正面図。
【図３】ペット用ケージの右側面図。
【図４】前面フレームに対して、前面網体が取り付いた状態の要部を一部断面で示した正面図。
【図５】規制部材の平面図（ａ）、及び、側面図（ｂ）。
【図６】前面フレームに対する前面網体の取り付け前の状態を示した外観図。
【図７】前面フレームに対する前面網体の取り付け手順を示した説明図。
【図８】図４（ａ）におけるA-A線視図（ａ）、図８（ａ）におけるB-B線視図。
【図９】他の規制部材を示した外観図（ａ）、他の規制部材の使用状態を示した断面図。
【図１０】補助規制部材を示した平面図（ａ）、及び、側面図（ｂ）。
【図１１】補助規制部材の使用状態を示した正面図。
【符号の説明】
【００６２】
１１…ペット用ケージ
１３…前面網体
１４(１４ａ)…縦棒
１５ａ…横棒
１５ｂ…上端横棒
１５…下端横棒
１７,１８…取付け棒部
２６，２７…取付け穴
２８,４１…規制部材
４２ａ,４３ａ…係合爪部
４２ｂ,４３ｂ…被係合溝部
４５…補助規制部材
【図１】
0003104577.tif 000003
【図２】
0003104577.tif 000004
【図３】
0003104577.tif 000005
【図４】
0003104577.tif 000006
【図５】
0003104577.tif 000007
【図６】
0003104577.tif 000008
【図７】
0003104577.tif 000009
【図８】
0003104577.tif 000010
【図９】
0003104577.tif 000011
【図１０】
0003104577.tif 000012
【図１１】
0003104577.tif 000013